(57)【要約】【課題】  複数の録画番組を連続して再生する際に、番組の終了時近くに設定された番組本編以外の放送部分の録画データを除外して再生する放送受信記録再生装置および放送受信記録再生方法を提供すること。【解決手段】  受信した複数の放送番組を記録する記録手段２２と、記録された放送番組を再生する映像音声信号再生処理手段１３と、再生されている放送番組からＣＭ区間を検出するＣＭ検出手段２３と、ＣＭ検出手段２３によって検出されたＣＭ区間が再生されている放送番組の番組終了間際のＣＭ区間であると判断されたときには記録手段２２に記録されており次に連続して再生する放送番組への切り替え指示を行うコンテンツ切替タイミング検出手段２７と、コンテンツ切替タイミング検出手段２７から切替指示を取得すると、次に連続して再生する放送番組に再生を切り替えるよう制御する再生制御手段２６とを備えることを特徴とする。【選択図】  図１
2008182539.tif 000002
【特許請求の範囲】
【請求項１】
番組本編区間とＣＭ区間とからなる放送番組を放送局から受信して記録するとともに、記録された複数の前記放送番組を連続して再生する放送受信記録再生装置において、
受信した複数の前記放送番組を記録する記録手段と、
前記記録手段に記録されている放送番組を再生する再生処理手段と、
前記再生処理手段により再生されている放送番組から、前記ＣＭ区間を検出するＣＭ検出手段と、
前記ＣＭ検出手段において前記ＣＭ区間を検出すると、このＣＭ区間が前記再生されている放送番組の番組終了から所定時間内のＣＭ区間であるか否かを判断し、前記番組終了から所定時間内のＣＭ区間であると判断されたときには前記記録手段に記録されている次に連続して再生する放送番組への切り替え指示を生成するコンテンツ切替タイミング検出手段と、
前記コンテンツ切替タイミング検出手段において生成された前記切替指示に従って、前記次に連続して再生する放送番組に再生を切り替える制御を行う再生制御手段と
を備えることを特徴とする放送受信記録再生装置。
【請求項２】
前記記録手段には、前記放送番組とこの放送番組に関する番組情報を含むデータ情報とが関連づけられて記録されており、
前記連続して再生する複数の放送番組に関する番組情報を、予め指定された抽出条件に従って前記記録手段に記録された前記データ情報から抽出して再生制御手段に送出する抽出手段を備え、
前記再生制御手段は、前記抽出手段で抽出された番組情報に対応する放送番組を、連続して再生するように制御する
ことを特徴とする請求項１に記載の放送受信記録再生装置。
【請求項３】
前記記録手段には、複数の前記放送番組と、これらの複数の放送番組に関する番組情報を含むデータ情報とが関連付けられて記録されており、
前記抽出手段は、予め指定された抽出条件に従って、前記記録手段の前記データ情報に記録された複数の番組情報の中から、前記連続して再生する複数の放送番組を抽出する
ことを特徴とする請求項１または２に記載の放送受信記録再生装置。
【請求項４】
受信した、番組本編区間とＣＭ区間とからなる放送番組を複数記録する記録ステップと、
記録された前記放送番組を再生する再生処理ステップと、
再生されている前記放送番組から、前記ＣＭ区間を検出するＣＭ検出ステップと、
前記ＣＭ検出ステップで前記ＣＭ区間が検出されたときに、このＣＭ区間が前記再生されている放送番組の番組終了から所定時間内のＣＭ区間であるか否かを判断し、前記番組終了から所定時間内のＣＭ区間であると判断されたときには次に連続して再生する放送番組への切り替え指示を生成するコンテンツ切替タイミング検出ステップと、
前記コンテンツ切替タイミング検出ステップにおいて生成された前記切替指示に従って、前記次に連続して再生する放送番組に再生を切り替える制御を行う再生制御ステップと
を備えることを特徴とする放送受信記録再生方法。
【発明の詳細な説明】
【技術分野】
【０００１】
本発明は、放送局から送信される放送信号を受信して再生する放送受信記録再生装置および放送受信記録再生方法に関する。
【背景技術】
【０００２】
従来、テレビジョン放送番組などの映像コンテンツを記録および再生する記録再生装置として、ハードディスク、光ディスク、または半導体メモリなどの大容量記録媒体を用いたハードディスクレコーダ（ＨＤＤレコーダ）やＤＶＤレコーダなどの記録再生装置が広く普及している。
【０００３】
これらの大容量記録媒体を用いた記録再生装置は大量のコンテンツを録画することが可能であり、ユーザは録画しておいたコンテンツを好きな時間に視聴し楽しむことができる。
【０００４】
しかし、このように数多くのコンテンツを録画して楽しむことができるようになった一方で、記録媒体に録画された数多くのコンテンツの中からユーザが所望のコンテンツを簡単に特定できるようにすることが課題になっている。
【０００５】
この課題を解決するための手段として、特許文献１〜４に示すように複数の録画番組を連続的に再生することで、ユーザがコンテンツを視聴し終わる毎に次に視聴する録画番組を探して指定する手間を軽減する技術がある。
【０００６】
特許文献１には、再生中またはこれから再生される放送内容に次に続く連続番組を記録媒体に録画された番組の中から判定し、連続再生する技術が記載されている。
【０００７】
この技術を利用することにより、ユーザが連続番組を視聴する際に、放送内容に連続性がある番組を個々に再生指示する手間を軽減することができる。
【０００８】
また、特許文献２には、記録媒体のディスクに記録された複数の番組の目次情報を、同一属性の番組が連続して再生されるように並べ替える技術が記載されている。
【０００９】
この技術を利用することにより、ユーザはスキップ等の操作をすることなく、複数週分の同一属性の番組を連続して再生させ視聴することができる。
【００１０】
また、特許文献３には、記録媒体に番組データを格納する際に、記録媒体への書き込みアドレスを番組毎に対応付けて管理する技術が記載されている。
【００１１】
この技術を利用することにより、連続性のある複数回分の番組データを連続再生させることが可能になる。
【００１２】
また、特許文献４には、記録媒体に記録された番組の再生終了時に、この再生していた番組と同じ番組タイトルで記録日時が再生していた番組よりも後であり且つ最も近い番組記録媒体の中から選択し、連続して再生する技術が記載されている。
【００１３】
この技術を利用することにより、記録媒体上に個々に記録された連続ドラマを、ユーザが簡単な操作で順番に再生して視聴することができる。
【特許文献１】特開平１１−２５２４９４号公報
【特許文献２】特開２００１−２６６４５７号公報
【特許文献３】特開２００２−２１８３３３号公報
【特許文献４】特開２００６−７４５８６号公報
【発明の開示】
【発明が解決しようとする課題】
【００１４】
しかし、上記特許文献１〜４に記載された技術を利用して複数回（週）にわたって録画した番組を連続再生することにより、連続ドラマなどの番組の終了近くの数分間に放送されるＣＭ（commercial message）、次回放送予定の予告、および他の番組の広告などの番組本編以外の情報が各回の番組終了付近ごとに再生され、番組本編のみを連続して視聴したいユーザにとっては視聴時間が効率的に使用されないという問題が発生してきていた。
【００１５】
これらの番組本編以外の放送の情報はユーザにとって視聴する必要性が低いことが多く、特に次回放送予定の予告は連続再生で視聴する場合にはこれから始まる内容を事前に見せられてしまうことになるため、再生されることにより番組を楽しむ上でマイナス効果となることがあった。
【００１６】
そこで本発明は、複数の録画番組を連続して再生する際に、番組の終了時近くに設定された番組本編以外の放送部分の録画データを除外して再生する放送受信記録再生装置および放送受信記録再生方法を提供することを目的とする。
【課題を解決するための手段】
【００１７】
上記目的を達成するための本発明の放送受信記録再生装置（１）は、番組本編区間とＣＭ区間とからなる放送番組を放送局から受信して記録するとともに、記録された複数の前記放送番組を連続して再生するものであり、受信した複数の前記放送番組を記録する記録手段（２２）と、前記記録手段（２２）に記録されている放送番組を再生する再生処理手段（１３）と、前記再生処理手段（１３）により再生されている放送番組から、前記ＣＭ区間を検出するＣＭ検出手段（２３）と、前記ＣＭ検出手段（２３）において前記ＣＭ区間を検出すると、このＣＭ区間が前記再生されている放送番組の番組終了から所定時間内のＣＭ区間であるか否かを判断し、前記番組終了から所定時間内のＣＭ区間であると判断されたときには前記記録手段（２２）に記録されており次に連続して再生する放送番組への切り替え指示を生成するコンテンツ切替タイミング検出手段（２７）と、前記コンテンツ切替タイミング検出手段（２７）において生成された前記切替指示に従って、前記次に連続して再生する放送番組に再生を切り替える制御を行う再生制御手段（２６）とを備えることを特徴とする。
【００１８】
また、この放送受信記録再生装置（１）の前記記録手段（２２）には、前記放送番組とこの放送番組に関する番組情報を含むデータ情報とが関連づけられて記録され、前記連続して再生する複数の放送番組に関する番組情報を、予め指定された抽出条件に従って前記記録手段（２２）に記録された前記データ情報から抽出して再生制御手段（２６）に送出する抽出手段（２５）を備え、前記再生制御手段（２６）は、前記抽出手段（２５）で抽出された番組情報に対応する放送番組を連続して再生するように制御するようにしてもよい。
【００１９】
また、この放送受信記録再生装置（１）の前記記録手段（２２）には、複数の前記放送番組と、これらの複数の放送番組に関する番組情報を含むデータ情報とが関連付けられて記録され、前記抽出手段（２５）は、予め指定された抽出条件に従って、前記記録手段（２２）の前記データ情報に記録された複数の番組情報の中から、前記連続して再生する複数の放送番組を抽出するようにしてもよい。
【００２０】
また、本発明の放送受信記録再生方法（１）は、受信した番組本編区間とＣＭ区間とからなる放送番組を複数記録する記録ステップ（２２）と、記録された前記放送番組を再生する再生処理ステップ（１３）と、再生されている前記放送番組から、前記ＣＭ区間を検出するＣＭ検出ステップ（２３）と、前記ＣＭ検出ステップ（２３）で前記ＣＭ区間が検出されたときに、このＣＭ区間が前記再生されている放送番組の番組終了から所定時間内のＣＭ区間であるか否かを判断し、前記番組終了から所定時間内のＣＭ区間であると判断されたときには次に連続して再生する放送番組への切り替え指示を行うコンテンツ切替タイミング検出ステップ（２７）と、前記コンテンツ切替タイミング検出ステップ（２７）における前記切替指示に従って、前記次に連続して再生する放送番組に再生を切り替える制御を行う再生制御ステップ（２６）とを備えることを特徴とする。
【発明の効果】
【００２１】
本発明によれば、複数の録画番組を連続して再生する際に、番組の終了時近くに設定された番組本編以外の次回放送予定の予告の録画データなどの放送部分を除外して再生する放送受信記録再生装置および放送受信記録再生方法を提供することができる。
【発明を実施するための最良の形態】
【００２２】
《第１実施形態》
本発明の第１実施形態では、録画された複数の番組の中から同一シリーズの録画番組を抽出し、連続再生する放送受信記録再生装置について説明する。
【００２３】
〈第１実施形態による放送受信記録再生装置の構成〉
本発明の第１実施形態による放送受信記録再生装置１の構成を、図１を参照して説明する。
【００２４】
本実施形態による放送受信記録再生装置１は、放送受信部としてのアンテナ１１と、放送選局手段１２と、映像音声信号再生処理手段１３と、出力手段１４と、リモコン制御受信手段１５と、ユーザ制御手段１６と、選局切替制御手段１７と、録画制御手段１８と、番組情報取得解析手段１９と、録画信号処理手段２０と、番組情報管理手段２１と、記録手段２２と、ＣＭ検出手段２３と、再生コンテンツ選択手段２４と、シリーズコンテンツ抽出手段２５と、再生制御手段２６と、コンテンツ切替タイミング検出手段２７と、再生実行位置検出手段２８とを有する。
【００２５】
アンテナ１１は、放送局から送信される放送電波を受信する。
【００２６】
放送選局手段１２は、チューナーであり、後述する選局切替制御手段１７から取得したチャンネル切替要求に従って、アンテナ１１において受信された放送電波からチャンネルを選局する。
【００２７】
映像音声信号再生処理手段１３は、放送選局手段１２で選局されたチャンネルの圧縮された放送信号を放送電波から取得し、再生するために伸張して再生信号を生成する処理を行う。
【００２８】
出力手段１４は、映像音声信号再生処理手段１３で生成された再生信号を、外部の表示手段で表示させる表示信号に変換する。
【００２９】
リモコン制御受信手段１５は、ユーザによってリモコンから操作された指示を受信してユーザ制御手段１６に送出する。
【００３０】
ユーザ制御手段１６は、リモコン制御受信手段１５から、またはユーザの操作により、視聴チャンネルを切り替える指示が取得されると、チャンネル切替要求を生成して後述する選局切替制御手段１７に送出する。
【００３１】
またユーザ制御手段１６は、リモコン制御受信手段１５から、またはユーザの操作により、録画処理を行うための録画指示が取得されると、録画要求を生成して録画制御手段１８に送出する。
【００３２】
さらにユーザ制御手段１６は、リモコン制御受信手段１５から、またはユーザの操作により、再生処理を行うための再生指示が取得されると、再生要求を生成して再生コンテンツ選択手段２４に送出する。
【００３３】
さらにユーザ制御手段１６は、リモコン制御受信手段１５から、またはユーザの操作により、同一シリーズの複数の録画番組に対する連続再生処理を行うための連続再生要求が取得されると、連続再生要求を生成して再生コンテンツ選択手段２４に送出する。
【００３４】
選局切替制御手段１７は、ユーザ制御手段１６または録画制御手段１８から取得した選局要求に基づいて、放送選局手段１２で選局するチャンネルを切り替える制御を行う。
【００３５】
録画制御手段１８は、ユーザ制御手段１６から取得した録画要求を、番組情報取得解析手段１９および録画信号処理手段２０に送出する。
【００３６】
番組情報取得解析手段１９は、録画制御手段１８で取得された録画要求に従って、放送選局手段１２で選局されたチャンネルの放送信号に付加されているＥＰＧ情報から、またはネットワークなどを介して接続された外部回線から番組情報を抽出する。
【００３７】
録画信号処理手段２０は、番組情報取得解析手段１９で抽出された番組情報に従って、放送選局手段１２で選局されたチャンネルの放送信号から映像・音声データを取得して記録手段２２への録画処理を行う。
【００３８】
番組情報管理手段２１は、番組情報取得解析手段１９で抽出された番組情報を取得してデータ情報として管理し、このデータ情報を録画信号処理手段２０により録画処理された映像・音声データに関連付ける処理を行う。
【００３９】
記録手段２２は、録画信号処理手段２０より取得した映像・音声データと、番組情報管理手段２１で映像・音声データに関連付けられたデータ情報とを記録する。
【００４０】
また記録手段２２は、後述する再生コンテンツ選択手段２４からデータ情報取得要求を取得すると、記録している映像・音声データに対応するデータ情報を映像音声信号再生処理手段１３を介して出力手段１４から外部の表示装置等に出力させる。
【００４１】
ＣＭ検出手段２３は、再生中の映像・音声データからＣＭ区間を検出し、検出したＣＭ区間の位置情報を番組情報管理手段２１を介して記録手段２２中のデータ情報に追加する。
【００４２】
また、ＣＭ検出手段２３は、映像・音声データに関連付けられたデータ情報からＣＭ区間の位置情報を検出する。
【００４３】
再生コンテンツ選択手段２４は、ユーザ制御手段１６から再生要求を取得すると記録手段２２に録画されている放送番組のデータ情報を取得するためのデータ情報取得要求を生成して記録手段２２に送出し、また、ユーザ制御手段１６から連続再生要求を取得するとこの連続再生要求をシリーズコンテンツ抽出手段２５に送出する。
【００４４】
シリーズコンテンツ抽出手段２５は、この連続再生要求に対応する複数の録画番組をデータ情報から抽出して再生順序の設定を行い、再生制御手段２６に送出する。
【００４５】
再生制御手段２６は、シリーズコンテンツ抽出手段２５において設定された再生順序に従って再生指示を生成して記録手段２２に送出する。
【００４６】
コンテンツ切替タイミング検出手段２７は、ＣＭ検出手段２３でデータ情報から検出されたＣＭ区間の位置情報から、番組終了間際のＣＭ区間の位置情報を検出する。
【００４７】
再生実行位置検出手段２８は、次に連続して再生する録画番組の再生実行位置を検出する。
【００４８】
〈第１実施形態による放送受信記録再生装置１の動作〉
〔録画処理〕
本実施形態による放送受信記録再生装置１により放送番組が録画されるときの動作について、図２のフローチャート、図３および図４の説明図を参照して説明する。
【００４９】
まず、ユーザの操作により放送受信記録再生装置１の電源が投入されると（Ｓ１）、アンテナ１１において放送局から送信される放送電波が受信され、放送選局手段１２においてデフォルトで設定されているチャンネルが選局される。
【００５０】
本実施形態において、ユーザが放送受信記録再生装置１に対して行う操作は、ユーザが操作するリモコンからリモコン制御受信手段１５を介して行われるか、または直接ユーザが放送受信記録再生装置１を接触操作することにより行われる。
【００５１】
放送選局手段１２においてデフォルトで設定されているチャンネルが選局されると、映像音声信号再生処理手段１３においてこの選局されたチャンネルの圧縮された放送信号が放送電波から取得される。
【００５２】
さらに、映像音声信号再生処理手段１３において取得された圧縮された放送信号が伸張され、再生信号が生成される。
【００５３】
映像音声信号再生処理手段１３で生成された再生信号は出力手段１４に送出され、出力手段１４において表示信号に変換され、外部の表示装置等に送信される。
【００５４】
このように放送受信記録再生装置１の電源が投入され、受信された放送信号が外部の表示装置に送信されると、ユーザの操作による録画指示がユーザ制御手段１６において取得されたか否かが監視され（Ｓ２）、取得されるまでの間、待機状態となる。
【００５５】
ユーザの操作により所望のチャンネルで放送される放送番組の録画が指示されたときは（Ｓ２の「YES」）、指示された録画対象の番組およびチャンネルの情報を含む録画要求がユーザ制御手段１６において生成され、録画制御手段１８に送出される。
【００５６】
本実施形態においては、図３に示すように、時刻11:30〜12:00の放送番組「Pro0」→時刻12:00〜12:30の放送番組「Pro1」→時刻12:30〜13:30の放送番組「Pro2」→時刻13:30〜14:20の放送番組「Pro3」の順に放送されるチャンネルの放送番組「Pro2」の録画がユーザにより要求され、この放送番組「Pro2」の情報およびこのチャンネルの情報を含む録画要求がユーザ制御手段１６で生成され、録画制御手段１８に送出される。
【００５７】
この放送番組「Pro2」は、本編部分である放送区間「Pro2-1」、「Pro2-2」、「Pro2-3」、「Pro2-4」および、放送区間「Pro2-1」と「Pro2-2」との間に放送されるＣＭ、放送区間「Pro2-2」と「Pro2-3」との間に放送されるＣＭ、放送区間「Pro2-3」と「Pro2-4」との間に放送されるＣＭとにより構成されている。
【００５８】
録画制御手段１８では、取得された録画要求に含まれる録画対象のチャンネル情報が抽出され、この抽出された録画対象のチャンネルが放送選局手段１２において現在選局されているか否かが判断される（Ｓ３）。
【００５９】
判断の結果、録画対象のチャンネルが現在選局されていないときは（Ｓ３の「NO」）、録画対象のチャンネルに切り替えるためのチャンネル切替要求が録画制御手段１８で生成され、選局切替制御手段１７に送出される。
【００６０】
チャンネル切替要求が選局切替制御手段１７に送出されると、このチャンネル切替要求により放送選局手段１２において選局されているチャンネルが切り替えられ（Ｓ４）、切り替え後のチャンネルの放送信号の録画処理が開始される。
【００６１】
ステップＳ３において録画対象のチャンネルが現在選局されているときは（Ｓ３の「YES」）、そのまま録画処理が開始される。
【００６２】
録画処理が開始されると、録画制御手段１８で取得された放送番組「Pro2」の録画要求が番組情報取得解析手段１９および録画信号処理手段２０に送出される。
【００６３】
番組情報取得解析手段１９では、放送番組「Pro2」の録画要求が取得されると放送選局手段１２で選局され受信されている放送信号または外部の回線からＥＰＧ情報が取得され（Ｓ５）、このＥＰＧ情報からさらに録画対象の放送番組「Pro2」の番組情報が抽出される（Ｓ６）。
【００６４】
番組情報取得解析手段１９で抽出された放送番組「Pro2」の番組情報は録画制御手段１８の制御により番組情報管理手段２１で取得される。
【００６５】
また、録画信号処理手段２０では、放送番組「Pro2」の録画要求が取得されると、受信中の放送信号から放送番組「Pro2」の映像・音声データが取得され記録手段２２への録画が開始される。
【００６６】
また、番組情報管理手段２１で取得された放送番組「Pro2」の番組情報は、録画された放送番組「Pro2」の映像・音声データに関連付けられ、「Pro2」のデータ情報として記録手段２２に記録される（Ｓ７）。
【００６７】
ここで記録されるデータ情報は、録画年月日、録画チャンネル、録画開始時刻、録画終了時刻、番組開始時刻、番組終了時刻、番組タイトル、番組ジャンルなどの録画に関する情報が含まれる。本実施形態においては、さらに録画区間に含まれる番組の数を明示するための番組数や、複数の番組が一度に録画された場合に各番組に付与される番組ＩＤ、後述するＣＭカットに関する情報が含まれている。
【００６８】
本実施形態において放送番組「Pro2」に関連付けられるデータ情報としては、図３に示すように、録画年月日が「2006年○×月◇△日」、録画チャンネルが「ＣＨ××」、録画開始時刻が「12:30」、録画終了時刻が「13:30」、番組数が「１」、番組ＩＤが「１」、番組開始時刻が「12：30」、番組終了時刻が「13:30」、番組タイトルが「○○○○○」、番組ジャンルが「ドラマ」である。
【００６９】
ステップＳ７において録画処理が開始されると、録画中のチャンネルの放送番組に変更が生じたか否かが番組情報取得解析手段１９において監視される（Ｓ８）。
【００７０】
番組情報取得解析手段１９において録画中のチャンネルの放送番組に変更が生じたと判断されたときは（Ｓ８の「YES」）、変更後の新たな番組の番組情報が取得され、番組情報管理手段２１の処理により第１データ情報に追加されて記録される（Ｓ９）。
【００７１】
このように録画中のチャンネルの放送番組に変更があるか否かが監視されることにより、放送予定の番組に変更があったとき、ユーザにより停止時間が指定されることなく録画要求が取得され複数の番組が録画されるとき、ユーザにより録画要求時に複数の番組が指定されているときなどに、番組ごとに番組情報が取得され記録されることが可能になる。
【００７２】
本実施形態においては、図３に示すように放送番組「Pro2」のみで構成される連続録画区間Ａの録画が要求されているため録画処理が終了するまでに放送番組の変更はないと判断される（Ｓ８の「NO」）。
【００７３】
また、録画処理が開始されると、放送番組の変更の有無が番組情報取得解析手段１９で監視されるとともに、さらにＣＭ区間が検出されたか否かがＣＭ検出手段２３で監視される（Ｓ１０）。
【００７４】
ＣＭ検出手段２３において録画中のチャンネルの放送番組からＣＭ区間が検出されたときには（Ｓ１０の「YES」）、このＣＭ区間の位置情報がデータ情報に追加される（Ｓ１１）。
【００７５】
ここで、録画処理が行われる際に予めＣＭカット処理が有効になるように設定されているときには（Ｓ１２の「YES」）、録画時にこれらのＣＭ区間が除外されるＣＭカット処理がＣＭ検出手段２３で実行されて（Ｓ１３）ステップＳ１４に進み、ＣＭカット処理が無効に設定されているときには（Ｓ１２の「NO」）そのままステップＳ１４に進む。
【００７６】
ここでは、放送番組「Pro2」の録画中の時刻t0〜t1の間、時刻t2〜t3の間、時刻t4〜t5の間がＣＭ区間として検出され、さらにＣＭカット処理が有効に設定されているためこれらのＣＭ区間が除外されて、図３に示すように放送番組「Pro2」の放送区間「Pro2-1」、「Pro2-2」、「Pro2-3」、「Pro2-4」のみが放送番組「Pro2」の番組情報である第１データ情報と関連付けられて記録される。
【００７７】
また、除外されたＣＭ区間の位置情報であるＣＭカット情報として、ＣＭ区間の開始時刻「t0」、「t2」、「t4」がデータ情報に追加して記録される。
【００７８】
上述したように録画処理が行われると、録画信号処理手段２０において録画要求された放送番組「Pro2」の放送が終了したか、またはユーザ制御手段１６においてユーザの操作により録画停止要求が録画制御手段１８を介して取得されたか否かが監視される（Ｓ１４）。
【００７９】
録画信号処理手段２０において、放送番組「Pro2」の放送が終了したと判断されたとき、または、ユーザ制御手段１６で受信された録画停止要求が録画制御手段１８を介して取得されたときは（Ｓ１４の「YES」）、録画処理が停止される（Ｓ１５）。
【００８０】
ユーザ制御手段１６において録画停止要求が取得されていないと判断されたときは（Ｓ１４の「NO」）、ステップＳ７に戻り、映像・音声データの録画が継続して行われる。
【００８１】
以上の処理により、複数の放送番組が記録手段２２に録画される。
【００８２】
図４は複数の放送番組がＣＭカット処理されずに録画された状態を示す説明図であり、放送番組「ドラマＡ−１」とこれに関連付けられた第１データ情報とが第１ファイル２２１として記録され、放送番組「ドラマＢ−１」とこれに関連付けられた第２データ情報とが第２ファイル２２２として記録され、放送番組「スポーツ」とこれに関連付けられた第３データ情報とが第３ファイル２２３として記録され、放送番組「ドラマＡ−２」とこれに関連付けられた第４データ情報とが第４ファイル２２４として記録され、放送番組「ドラマＢ−２」とこれに関連付けられた第５データ情報とが第５ファイル２２５として記録され、放送番組「ドラマＡ−３」とこれに関連付けられた第６データ情報とが第６ファイル２２６として記録されたものとする。ここではＣＭ区間はカットされずに（ＣＭカット処理無効）、ＣＭ区間の位置情報が各データ情報に追加されたものとする。
【００８３】
また、「ドラマＡ−１」の放送区間を「あ」、「い」、「う」、「え」、「お」とし、「ドラマＡ−２」の放送区間を「か」、「き」、「く」、「け」、「こ」とし、「ドラマＡ−３」の放送区間を「さ」、「し」、「す」、「せ」、「そ」とする。
【００８４】
〔再生処理〕
次に、録画された複数の放送番組が連続再生されるときの動作について、図５のフローチャートおよび図４の説明図を参照して説明する。
【００８５】
まず、放送受信記録再生装置１の電源が投入された状態で（Ｓ２１）、ユーザの操作により録画番組に対する再生要求が取得されたか否かがユーザ制御手段１６において監視され、取得されるまでの間、待機状態となる。
【００８６】
ユーザの操作により複数の録画番組に対する再生要求がユーザ制御手段１６において取得されると、この再生要求が再生コンテンツ選択手段２４に送出される。
【００８７】
再生コンテンツ選択手段２４では、再生要求が取得されると記録手段２２に録画されている放送番組のデータ情報を取得するためのデータ情報取得要求が生成され、記録手段２２に送出される。
【００８８】
記録手段２２においてデータ情報取得要求が取得されると、この要求に応答して記録手段２２に記録されている映像・音声データに関連付けられたデータ情報が取得され、映像音声信号再生処理手段１３を介して出力手段１４から外部の表示装置に送信され表示される。
【００８９】
表示されたデータ情報の中からユーザの操作により同一シリーズの複数の録画番組に対する連続再生が要求されると（Ｓ２２の「YES」）、要求されたシリーズに関する情報を含む連続再生要求がユーザ制御手段１６において生成され、再生コンテンツ選択手段２４に送出される。
【００９０】
本実施形態においては、図４に示すように記録手段２２に記録されているデータ情報である第１データ情報〜第６データ情報が外部の表示装置に表示され、この中から「ドラマＡ」のシリーズに対する連続再生が要求されたものとする。
【００９１】
再生コンテンツ選択手段２４において、シリーズ「ドラマＡ」に関する情報を含む連続再生要求が取得されると、この要求がシリーズコンテンツ抽出手段２５に送出される。
【００９２】
シリーズコンテンツ抽出手段２５においてシリーズ「ドラマＡ」に関する情報を含む連続再生要求が取得されると、シリーズ「ドラマＡ」に該当する録画番組が記録手段２２に記録されたデータ情報の中から抽出され、再生順序（第ｎ話→第ｎ+１話→第ｎ＋２話）の設定が行われる（Ｓ２３）。
【００９３】
シリーズコンテンツ抽出手段２５におけるシリーズ番組の抽出処理および再生順所の設定処理について図６のフローチャートを参照して説明する。
【００９４】
まず、シリーズコンテンツ抽出手段２５においてシリーズ「ドラマＡ」に関する情報を含む連続再生要求が取得されると（Ｓ４１）、連続再生を行うための連続再生機能が有効（ON）になっているか否かが判断される（Ｓ４２）。
【００９５】
連続再生機能が有効でない（OFF）場合（Ｓ４２の「NO」）は処理を終了し、有効（ON）になっているときは（Ｓ４２の「YES」）、指定された「ドラマＡ」の情報を基に連続再生する録画番組を抽出する設定であるか否かが判断される（Ｓ４３）。
【００９６】
連続再生する録画番組を抽出する設定になっていると判断されたとき（Ｓ４３の「YES」）は、指定された「ドラマＡ」のデータ情報が記録手段２２から抽出され（Ｓ４４）、連続再生する録画番組の抽出条件が連続再生要求から取得される（Ｓ４５）。
【００９７】
この抽出条件は、指定された録画番組と「同じシリーズ」、「同じジャンル」、「同じ曜日」、「同じ時間」などで設定され、例えば、指定された録画番組のデータ情報からこの録画番組のジャンルが連続ドラマであれば「同じシリーズ」が抽出条件とされ、ジャンルがスポーツであれば「同じジャンル」が抽出条件として設定される。
【００９８】
次に、指定された全ての録画番組のデータ情報から抽出条件が取得されたか否かが判断され（Ｓ４６）、まだ抽出条件が取得されていない録画番組があれば（Ｓ４６の「NO」）ステップＳ４４に戻って抽出条件の取得が行われ、全ての指定された録画番組から抽出条件が取得されていれば（Ｓ４６の「YES」）、記録手段２２からこれらの抽出条件に合う録画番組が連続再生対象の録画番組として抽出される（Ｓ４７）。
【００９９】
連続再生対象の録画番組が抽出されると、これらを連続再生するための再生順序の設定が行われる（Ｓ４７）。
【０１００】
再生順序の設定は、放送日、放送時間、放送回数などの録画時のデータ情報を基に設定される。このようにデータ情報を基に再生順序が設定されることにより、通常は予約録画で毎週録画しているシリーズ番組を、なんらかの原因である回だけ再放送枠で録画したときなどのように、時間枠がずれたときや録画日時の順番がシリーズの順番と入れ替わったときなどにも適切な順序で連続再生が行われる。
【０１０１】
ここでは、図４に示すようにシリーズ「ドラマＡ」に関する情報として第1データ情報から「ドラマＡ−１」、第４データ情報から「ドラマＡ−２」、および第６データ情報から「ドラマＡ−３」が抽出され、「ドラマＡ−１」→「ドラマＡ−２」→「ドラマＡ−３」の順序で再生されるように設定される。
【０１０２】
また、ステップＳ４３において連続再生する録画番組を抽出する設定になっていないときは、ユーザにより指定された複数の録画番組が連続再生されるものとして同様に再生順序が設定される（Ｓ４８）。
【０１０３】
以上により、シリーズコンテンツ抽出手段２５におけるシリーズ番組の抽出処理および再生順所の設定処理を終了し、図５のステップＳ２４に戻る。
【０１０４】
シリーズコンテンツ抽出手段２５において設定されたシリーズ「ドラマＡ」の再生順序の情報は、再生制御手段２６に送出され再生処理が開始される（Ｓ２４）。
【０１０５】
再生制御手段２６においてシリーズ「ドラマＡ」の再生順序の情報が取得され再生処理が開始されると、この再生順序に従って再生制御手段２６において再生指示が生成され、記録手段２２に送出される。
【０１０６】
記録手段２２では、再生制御手段２６から取得した再生指示により記録されている映像・音声データが抽出され映像音声信号再生処理手段１３に送出される。
【０１０７】
ここでは、まず再生順序で最初に再生されるように設定されている「ドラマＡ−１」の再生指示が再生制御手段２６から記録手段２２送出される。
【０１０８】
記録手段２２で「ドラマＡ−１」の再生指示が取得されると、第１ファイル２２１から「ドラマＡ−１」の映像・音声データが映像音声信号再生処理手段１３に送出され、出力手段１４を介して外部の表示装置に表示され再生される。
【０１０９】
再生処理が開始されると、次に連続して再生する番組があるか否かが再生制御手段２６において判断される（Ｓ２５）。
【０１１０】
ここでは、「ドラマＡ−２」および「ドラマＡ−３」が連続して再生される番組として設定されているため、連続して再生する番組があると判断される（Ｓ２５の「YES」）。
【０１１１】
連続して再生する番組があると再生制御手段２６において判断されると、再生中の「ドラマＡ−１」の番組終了時刻が第１データ情報からコンテンツ切替タイミング検出手段２７に送出される（Ｓ２６）。
【０１１２】
コンテンツ切替タイミング検出手段２７において番組終了時刻が取得されると、再生中の「ドラマＡ−１」の映像・音声データから、ＣＭ検出手段２３においてＣＭ区間が検出され、このＣＭ区間の番組内における位置情報が取得される（Ｓ２７）。
【０１１３】
このとき、録画時にＣＭカット処理が行われている場合には、データ情報に記録されているＣＭカット情報に基づいてＣＭ区間の位置情報が検出される。
【０１１４】
ＣＭ検出手段２３で検出されたＣＭ区間の位置情報はコンテンツ切替タイミング検出手段２７に送出され、既に取得された番組終了時刻とＣＭ区間の位置情報との間の時間が予め設定された閾値（例えば「１０分」）と比較される。
【０１１５】
コンテンツ切替タイミング検出手段２７において、番組終了時刻とＣＭ区間の位置情報との間が閾値以内でないときは番組終了間際のＣＭではないと判断され（Ｓ２８の「NO」）、さらに再生中の番組が終了しているか否かが判断される（Ｓ２９）。
【０１１６】
ステップＳ２９において再生中の番組が終了したと判断されたときには（Ｓ２９の「YES」）、次に連続して再生する番組である「ドラマＡ−２」に再生処理を切り替えるためのコンテンツ切替要求がコンテンツ切替タイミング検出手段２７で生成され再生制御手段２６に送出される。
【０１１７】
再生制御手段２６で取得されたコンテンツ切替要求は記録手段２２に送出され、映像音声信号再生処理手段１３で再生処理が行われている「ドラマＡ−１」の次の再生番組である「ドラマＡ−２」の映像・音声データに関連付けられている第２データ情報が取得される。
【０１１８】
取得された第２データ情報は映像音声信号再生処理手段１３を介して再生実行位置検出手段２８に送出され、切り替え先の再生実行位置が検出される。
【０１１９】
再生実行位置検出手段２８において検出された再生実行位置はコンテンツ切替タイミング検出手段２７を介して再生制御手段２６に送出され、再生制御手段２６において再生処理を次の再生番組である「ドラマＡ−２」の再生実行位置への切り替え処理が行われる（Ｓ３０）。
【０１２０】
また、ステップＳ２９において再生中の番組が終了していないと判断されたときには（Ｓ２９の「NO」）、ステップＳ２７に戻り、ＣＭ区間の検出処理が引き続き行われる。
【０１２１】
また、ステップＳ２８において番組終了時刻とＣＭ区間の位置情報との間が閾値以内であったときには番組終了間際のＣＭであると判断され（Ｓ２８の「YES」）、ステップＳ３０に進み、再生処理を次に連続して再生する第２ファイル２２２の「ドラマＡ−２」の再生実行位置に切り替える処理が行われる（Ｓ３０）。
【０１２２】
ステップＳ３０において再生番組を切り替える処理が行われると、ユーザの操作により再生を停止するための再生停止要求がユーザ制御手段１６を介して再生制御手段２６で取得されたか否かが判断され（Ｓ３１）、再生停止要求が取得されたと判断されたときには（Ｓ３１の「YES」）再生制御手段２６において再生処理停止処理が行われ（Ｓ３２）、再生停止要求が取得されていないと判断されたときには（Ｓ３１の「NO」）ステップＳ２４に戻り、切り替えられた再生番組「ドラマＡ−２」の再生処理が継続して行われる。
【０１２３】
「ドラマＡ−２」の再生処理が行われると、「ドラマＡ−１」の再生処理が行われたときと同様に番組終了間際のＣＭ区間の検出等が行われ、ステップＳ３０において「ドラマＡ−３」への再生番組の切替処理が行われる。
【０１２４】
以上のようにして「ドラマＡ−１」→「ドラマＡ−２」→「ドラマＡ−３」の連続再生処理が行われることにより、「ドラマＡ−１」、「ドラマＡ−２」、および「ドラマＡ−３」の番組終了間際のＣＭ区間以降の放送区間がスキップされて連続再生が行われる。
【０１２５】
図４に示すように、再生を行う際にＣＭ区間がスキップされないようにＣＭスキップがＯＦＦ設定されている場合には、「ドラマＡ−１」の番組終了間際のＣＭ区間の再生が終了した後は、このＣＭ区間以降の放送区間である「お」は再生されずに、連続する次の再生番組「ドラマＡ−２」の放送区間「か」に切り替えられて再生され、また、「ドラマＡ−２」の番組終了間際のＣＭ区間の再生が終了した後は、このＣＭ区間以降の放送区間である「こ」は再生されずに、連続する次の再生番組「ドラマＡ−３」の放送区間「さ」に切り替えられて再生される。
【０１２６】
また、再生を行う際にＣＭ区間がスキップされるようにＣＭスキップがＯＮに設定されている場合には、「ドラマＡ−１」の番組終了間際のＣＭ区間の位置情報が検出されると、このＣＭ区間の位置情報以降の放送区間である「お」は再生されずに、連続する次の再生番組「ドラマＡ−２」の放送区間「か」に切り替えられて再生され、また、「ドラマＡ−２」の番組終了間際のＣＭ区間の位置情報が検出されると、このＣＭ区間以降の放送区間である「こ」は再生されずに、連続する次の再生番組「ドラマＡ−３」の放送区間「さ」に切り替えられて再生されることにより、「あ」→「い」→「う」→「え」→「か」→「き」→「く」→「け」→「さ」→「し」→「す」→「せ」のように再生される。
【０１２７】
以上の第１実施形態によれば、複数のコンテンツを連続して再生する際に各コンテンツの番組終了間際のＣＭ区間を検出することで、番組終了付近に放送される番組予告やプレゼント募集広告など番組本編の連続再生には必要とされない区間をスキップして連続再生処理を行うことができる。
【０１２８】
そのため、同一シリーズの番組を連続して視聴する際に、番組を楽しむ上でマイナス効果となる次回予告などが再生されないようにすることができ、視聴時間の効率化も図ることができる。
【０１２９】
また、ＥＰＧ等から取得した録画番組の情報をデータ情報として記録することで、連続再生する番組をシリーズやジャンルにより抽出することができる。
【０１３０】
《第２実施形態》
〈第２実施形態による放送受信記録再生装置の構成〉
本実施形態による放送受信記録再生装置の構成は、第１実施形態と同様であるため、詳細な説明は省略する。
【０１３１】
〈第２実施形態による放送受信記録再生装置１の動作〉
〔録画処理〕
本実施形態による放送受信記録再生装置１により放送番組が録画されるときの動作について、図２のフローチャート、図７および図８の説明図を参照して説明する。
【０１３２】
本実施形態においては、図７に示すように、時刻11:30〜12:00の放送番組「Pro0」→時刻12:00〜12:30の放送番組「Pro1」→時刻12:30〜13:30の放送番組「Pro2」→時刻13:30〜14:20の放送番組「Pro3」の順に放送されるチャンネルの、放送番組「Pro1」の途中（時刻12:15）にユーザの操作により録画が開始され、放送番組「Pro3」の途中（時刻13:52）にユーザの操作により録画が停止され、この間が連続録画区間Ｂとして録画処理されるときについて説明する。
【０１３３】
図２において、ステップＳ１〜Ｓ７の処理は第１実施形態と同様であるため、詳細な説明は省略する。
【０１３４】
本実施形態においては、録画処理中の時刻12:30に放送番組が「Pro1」から「Pro2」に変更されるとき、および時刻13:30に放送番組が「Pro2」から「Pro3」に変更されるときに、ステップＳ８において番組情報取得解析手段１９で放送番組の変更があったと判断される（Ｓ８の「YES」）。
【０１３５】
放送番組の変更があったと判断されたときは、番組情報取得解析手段１９において変更後の番組情報がＥＰＧ情報から取得される。
【０１３６】
取得された番組情報は、番組情報管理手段２１の管理により、記録手段２２に記録された連続録画区間Ｂに関連付けられたデータ情報である第２データ情報に追加される。
【０１３７】
本実施形態においては、放送番組「Pro2」、「Pro3」の番組情報が追加されることにより第２データ中の番組数が「３」に更新され、放送番組「Pro2」の番組IDが「２」、放送番組「Pro3」の番組IDが「３」として追加される。
【０１３８】
図２のステップＳ９以降の処理は第１実施形態と同様であるため、詳細な説明は省略する。
【０１３９】
図８は複数の放送番組がＣＭカット処理されずに録画された状態を示す説明図であり、放送番組「バラエティ」、「ドラマＡ−１」、「ニュース」の３つとこれに関連付けられた第７データ情報とが第７ファイル２２７として記録され、放送番組「ドラマＢ−１」とこれに関連付けられた第８データ情報とが第８ファイル２２８として記録され、放送番組「スポーツ」とこれに関連付けられた第９データ情報とが第９ファイル２２９として記録され、放送番組「ドラマＡ−２」とこれに関連付けられた第１０データ情報とが第１０ファイル２３０として記録され、放送番組「ドラマＢ−２」とこれに関連付けられた第１１データ情報とが第１１ファイル２３１として記録され、放送番組「スポーツ」、「ドラマＡ−３」の２つとこれに関連付けられた第１２データ情報とが第１２ファイル２３２として記録されたものとする。ここではＣＭ区間はカットされずに（ＣＭカット処理無効）、ＣＭ区間の位置情報が各データ情報に追加されたものとする。
【０１４０】
また、「ドラマＡ−１」の放送区間を「あ」、「い」、「う」、「え」、「お」とし、「ドラマＡ−２」の放送区間を「か」、「き」、「く」、「け」、「こ」とし、「ドラマＡ−３」の放送区間を「さ」、「し」、「す」、「せ」、「そ」とする。
【０１４１】
〔再生処理〕
次に、録画された複数の放送番組が連続再生されるときの動作について、図９のフローチャートおよび図８の説明図を参照して説明する。
【０１４２】
まず、放送受信記録再生装置１の電源が投入された状態で（Ｓ４１）、ユーザの操作により録画番組に対する再生要求が取得されたか否かがユーザ制御手段１６において監視され、取得されるまでの間、待機状態となる。
【０１４３】
ユーザの操作により複数の録画番組に対する再生要求がユーザ制御手段１６において取得されると、この再生要求が再生コンテンツ選択手段２４に送出される。
【０１４４】
再生コンテンツ選択手段２４では、再生要求が取得されると記録手段２２に録画されている放送番組のデータ情報を取得するためのデータ情報取得要求が生成され、記録手段２２に送出される。
【０１４５】
記録手段２２においてデータ情報取得要求が取得されると、この要求に応答して記録手段２２に記録されている映像・音声データに関連付けられたデータ情報が取得され、映像音声信号再生処理手段１３を介して出力手段１４から外部の表示装置に送信され表示される。
【０１４６】
表示されたデータ情報の中からユーザの操作により同一シリーズの複数の録画番組に対する連続再生が要求されると（Ｓ４２の「YES」）、要求されたシリーズに関する情報を含む連続再生要求がユーザ制御手段１６において生成され、再生コンテンツ選択手段２４に送出される。
【０１４７】
本実施形態においては、図８に示すように記録手段２２に記録されているデータ情報である第７データ情報〜第１２データ情報が外部の表示装置に表示され、この中から「ドラマＡ」のシリーズに対する連続再生が要求されたものとする。
【０１４８】
再生コンテンツ選択手段２４において、シリーズ「ドラマＡ」に関する情報を含む連続再生要求が取得されると、この要求がシリーズコンテンツ抽出手段２５に送出される。
【０１４９】
シリーズコンテンツ抽出手段２５においてシリーズ「ドラマＡ」に関する情報を含む連続再生要求が取得されると、シリーズ「ドラマＡ」に該当する録画番組が記録手段２２に記録されたデータ情報の中から抽出され、再生順序（第ｎ話→第ｎ+１話→第ｎ＋２話）の設定が行われる（Ｓ４３）。
【０１５０】
ここでは、図８に示すようにシリーズ「ドラマＡ」に関する情報として第７ファイル２２７の第７データ情報から番組ＩＤ「２」の「ドラマＡ−１」、第１０ファイル２３０の第１０データ情報から番組ＩＤ「１」の「ドラマＡ−２」、および第１２ファイル２３２の第１２データ情報から番組ＩＤ「２」の「ドラマＡ−３」が抽出され、「ドラマＡ−１」→「ドラマＡ−２」→「ドラマＡ−３」の順序で再生されるように設定される。
【０１５１】
シリーズコンテンツ抽出手段２５において設定されたシリーズ「ドラマＡ」の再生順序の情報は、再生制御手段２６に送出され再生処理が開始される。
【０１５２】
再生制御手段２６においてシリーズ「ドラマＡ」の再生順序の情報が取得されると記録手段２２に記録されているデータ情報から、最初に再生する「ドラマＡ−１」のデータ情報が含まれる第７データ情報が検出されて映像音声信号再生処理手段１３に送出され（Ｓ４４）、さらにこの第７データ情報から第７ファイル２２７における「ドラマＡ−１」の再生開始位置が再生実行位置検出手段２８で検出され（Ｓ４５）、コンテンツ切替タイミング検出手段２７を介して再生制御手段２６で取得される。
【０１５３】
再生制御手段２６では、「ドラマＡ−１」の第７ファイル２２７における再生開始位置が取得されると再生処理が開始され、取得された再生開始位置の情報を含む再生指示が生成されて記録手段２２に送出される。
【０１５４】
記録手段２２では、取得された再生指示の再生開始位置に基づいて第７ファイル２２７から「ドラマＡ−１」の映像・音声データが映像音声信号再生処理手段１３に送出され、出力手段１４を介して外部の表示装置に表示され再生される（Ｓ４６）。
【０１５５】
以降のステップＳ４７〜Ｓ５４の処理は、第１実施形態におけるステップＳ２５〜Ｓ３２の処理と同様であるため、詳細な説明は省略する。
【０１５６】
以上のようにして複数の録画番組を含むファイルから「ドラマＡ−１」、「ドラマＡ−２」、および「ドラマＡ−３」が抽出され「ドラマＡ−１」→「ドラマＡ−２」→「ドラマＡ−３」の連続再生処理が行われることにより、「ドラマＡ−１」、「ドラマＡ−２」、および「ドラマＡ−３」の番組終了間際のＣＭ区間以降の放送区間がスキップされて連続再生が行われる。
【０１５７】
図８に示すように、再生を行う際にＣＭ区間がスキップされないようにＣＭスキップがＯＦＦ設定されている場合には、「ドラマＡ−１」の番組終了間際のＣＭ区間の再生が終了した後は、このＣＭ区間以降の放送区間である「お」は再生されずに、連続する次の再生番組「ドラマＡ−２」の放送区間「か」に切り替えられて再生され、また、「ドラマＡ−２」の番組終了間際のＣＭ区間の再生が終了した後は、このＣＭ区間以降の放送区間である「こ」は再生されずに、連続する次の再生番組「ドラマＡ−３」の放送区間「さ」に切り替えられて再生される。
【０１５８】
また、再生を行う際にＣＭ区間がスキップされるようにＣＭスキップがＯＮに設定されている場合には、「ドラマＡ−１」の番組終了間際のＣＭ区間の位置情報が検出されると、このＣＭ区間の位置情報以降の放送区間である「お」は再生されずに、連続する次の再生番組「ドラマＡ−２」の放送区間「か」に切り替えられて再生され、また、「ドラマＡ−２」の番組終了間際のＣＭ区間の位置情報が検出されると、このＣＭ区間以降の放送区間である「こ」は再生されずに、連続する次の再生番組「ドラマＡ−３」の放送区間「さ」に切り替えられて再生されることにより、「あ」→「い」→「う」→「え」→「か」→「き」→「く」→「け」→「さ」→「し」→「す」→「せ」のように再生される。
【０１５９】
以上の第２実施形態においては、第１実施形態と同様の効果を得ることができるとともに、複数の放送番組を１つのファイルとして録画した場合にも、そのファイルの中から連続再生の対象となる録画番組のみを抽出して連続再生に用いることができる。
【０１６０】
上記の第１実施形態および第２実施形態においては、録画時におけるＣＭカット処理およびＣＭカット情報の生成処理を録画中に行ったが、録画終了時にまとめて行うようにしてもよい。
【０１６１】
また、第１実施形態および第２実施形態においては、録画時にＣＭ区間の位置情報を記録するようにしたが、ＣＭカット処理を行わない場合には録画時にＣＭ区間の位置情報を記録せずに、再生時にＣＭ区間を検出するようにしてもよい。
【０１６２】
また、第１実施形態および第２実施形態においては、番組情報の取得処理を行ってから続いて映像・音声データの録画処理を行ったが、この処理順には限定されず、映像・音声データの録画処理の停止時に番組情報の取得処理を行ってもよいし、また予約録画のように事前に録画要求が取得されているときには予め番組情報を取得しておいてもよい。ただし、番組延長などにより放送時間が変更になった放送番組を変更後の時間に合わせて録画するときには、録画時に番組情報を取得する必要がある。
【０１６３】
また、第１実施形態および第２実施形態においては、データ情報として記録する情報をＥＰＧ情報から取得したが、録画時にユーザが直接指定する録画開始時刻、録画終了時刻、ジャンルなどの情報を用いてもよく、また、これらのユーザが直接指定する情報とＥＰＧ情報とを併せて用いてもよい。
【０１６４】
また、第１実施形態および第２実施形態の図３、図４、図７および図８においては、映像・音声データとデータ情報とを１つのファイルとして記録する場合について示したが、映像・音声データとデータ情報とを個別のファイルとして記録し、互いに対応するファイルを関連付けるように管理してもよい。
【０１６５】
また、第１実施形態および第２実施形態においては、抽出された同一シリーズの番組を連続再生する場合について説明したが、これには限定されず、ユーザが手動で任意に指定した複数の録画番組を連続再生するときに用いてもよい。
【０１６６】
また、第１実施形態および第２実施形態においては、連続再生する順序の設定はシリーズ順で行う場合について説明したが、これには限定されず、「日付順」、「ジャンル順」、「ユーザ履歴順」、「コンテンツ指定順」、「番組優先度順」など様々な順序による設定が可能であり、これらの設定は連続再生機能を利用する目的によりユーザが選択して用いることができる。
【０１６７】
例えば、指定された複数の番組が一連の連続ドラマであるならば、「日付順」または「シリーズ順」で再生されることが適切であり、「シリーズ順」に設定されたときには一部の録画番組に再放送枠のデータがあり録画日の順序が前後していても、視聴するのに適切な順序で再生することができる。
【０１６８】
また、指定された複数の録画番組が何の共通性もないような場合には、ユーザが嗜好により事前に優先度を設定しておいた「ジャンル順」や、ユーザの日ごろの視聴嗜好を基に設定された「ユーザ履歴順」に基づいて再生順序を設定するといったように、指定されたコンテンツ群によってその再生順序の指定方法を選択できるようにしてもよい。
【０１６９】
また、上記の第１実施形態または第２実施形態の放送受信記録再生装置の各手段の機能構成をプログラム化してコンピュータに組み込むことにより、当該コンピュータを放送受信記録再生装置として機能させる放送受信記録再生用プログラムを構築することも可能である。
【図面の簡単な説明】
【０１７０】
【図１】本発明の第１実施形態による放送受信記録再生装置の構成を示すブロック図である。
【図２】本発明の第１実施形態による放送受信記録再生装置の録画処理の動作を示すフローチャートである。
【図３】本発明の第１実施形態による放送受信記録再生装置において受信する放送番組データと、録画する放送番組データおよびデータ情報とを示す説明図である。
【図４】本発明の第１実施形態による放送受信記録再生装置において録画した放送番組データおよびデータ情報と、連続再生する録画番組データとを示す説明図である。
【図５】本発明の第１実施形態による放送受信記録再生装置の再生処理の動作を示すフローチャートである。
【図６】本発明の第１実施形態による放送受信記録再生装置の連続再生対象番組の抽出処理および再生順序の設定処理の動作を示すフローチャートである。
【図７】本発明の第２実施形態による放送受信記録再生装置において受信する放送番組データと、録画する放送番組データおよびデータ情報とを示す説明図である。
【図８】本発明の第２実施形態による放送受信記録再生装置において録画した放送番組データおよびデータ情報と、連続再生する録画番組データとを示す説明図である。
【図９】本発明の第２実施形態による放送受信記録再生装置の再生処理の動作を示すフローチャートである。
【符号の説明】
【０１７１】
１…放送受信記録再生装置
１１…アンテナ
１２…放送選局手段
１３…映像音声信号再生処理手段
１４…出力手段
１５…リモコン制御受信手段
１６…ユーザ制御手段
１７…選局切替制御手段
１８…録画制御手段
１９…番組情報取得解析手段
２０…録画信号処理手段
２１…番組情報管理手段
２２…記録手段
２３…ＣＭ検出手段
２４…再生コンテンツ選択手段
２５…シリーズコンテンツ抽出手段
２６…再生制御手段
２７…コンテンツ切替タイミング検出手段
２８…再生実行位置検出手段
２２１…第１ファイル
２２２…第２ファイル
２２３…第３ファイル
２２４…第４ファイル
２２５…第５ファイル
２２６…第６ファイル
２２７…第７ファイル
２２８…第８ファイル
２２９…第９ファイル
２３０…第１０ファイル
２３１…第１１ファイル
２３２…第１２ファイル
【図１】
2008182539.tif 000003
【図２】
2008182539.tif 000004
【図３】
2008182539.tif 000005
【図４】
2008182539.tif 000006
【図５】
2008182539.tif 000007
【図６】
2008182539.tif 000008
【図７】
2008182539.tif 000009
【図８】
2008182539.tif 000010
【図９】
2008182539.tif 000011